【事件の表示】
　特許第３４０９２６１号「画像印刷装置および方法、並びにプログラム」の請求項１ないし１０に係る特許に対する特許異議の申立てについて、次のとおり決定する。
【結　論】
　訂正を認める。
　特許第３４０９２６１号の請求項１ないし７に係る特許を維持する。
【理　由】
第１　【手続きの経緯】
　本件特許第３４０９２６１号の発明は、平成１３年７月３０日に特許出願され、平成１５年３月２０日にその特許の設定登録がなされ、その後、その特許について、異議申立人森崎慎二より特許異議の申立てがなされ、取消しの理由が通知され、その指定期間内である平成１６年８月２日に訂正請求がなされたものである。　　
　　　　　　　　　　
第２　【訂正の適否についての判断】
　１　［訂正の内容］
　特許権者が求めている訂正の内容は、以下の（１）ないし（１６）のとおりである。
　（１）訂正事項ａ
　特許請求の範囲の請求項１ないし７の記載を次のとおりに訂正する。
「【請求項１】　
ユーザに、自分自身の撮影、並びに、前記撮影により得られた自分自身の画像に対する編集を行わせ、前記編集により編集された前記画像の印刷を行い、編集された前記画像が印刷されたシールシートまたは紙を前記ユーザに提供する画像印刷装置であって、
　
前記画像印刷装置の筐体の側面において、前記ユーザが前記画像印刷装置を利用するとき投入する代金を受け付ける代金投入受け付け手段と、
　
前記筐体の側面において、前記筐体の正面前方の、前記
において前の組のユーザが前記撮影を行っている間に、前記撮影の順番待ちをしている
前記撮影または前記印刷に関する設定を入力するための
　
前記筐体の側面において、前記第１の表示手段により表示される前記撮影または前記印刷に関する設定を入力するための情報に対応する音声情報を出力する音声出力手段と、
　
前記筐体の側面において、前記撮影の順番待ちをしているユーザによる、
前記撮影または前記印刷に関する設定を入力するための
　前記第１の入力受け付け手段により受け付けられた前記操作入力に基づいて
、前記撮影または前記印刷に関する
　前記作成手段により作成された前記設定情報を記憶する記憶手段と、
　
前記代金の投入が受け付けられているとき、
前記筐体の側面近傍で待機して順番になると前記撮影空間に移動したユーザ
　前記撮影手段により撮影された
前記ユーザ
　前記第２の表示手段により表示された
前記ユーザ
　前記第２の入力受け付け手段により受け付けられた前記編集入力に基づいて、
前記ユーザ
　前記編集手段により編集された
前記ユーザ
　前記印刷手段により
前記ユーザ
　を備え、
　前記撮影手段または前記印刷手段は、前記記憶手段により記憶された前記設定情報に基づいて、
前記
前記
　ことを特徴とする画像印刷装置。
　
【請求項２】
　前記第１の入力受け付け手段は、前記第１の表示手段により表示された前記確認画面に対する操作入力をさらに受け付け、
　前記記憶手段は、前記第１の入力受け付け手段により、前記設定情報使用の指示が受け付けられた場合、前記設定情報を記憶する
　ことを特徴とする
請求項１
　
【請求項３】
前記撮影手段が参照する前記設定情報を保持する保持手段と、
　
前記シールシートの作成代金の投入が受け付けられたとき、前記記憶手段に前記設定情報が記憶されているか否かを判定する設定情報記憶判定手段と
をさらに備え、
　
前記設定情報記憶判定手段により前記設定情報が前記記憶手段に記憶されていると判定された場合、
　
前記記憶手段は、記憶している前記設定情報を前記保持手段に転送し、
前記撮影手段または前記印刷手段は、前記保持手段に保持されている前記設定情報に基づいて前記撮影または前記印刷を行い、
　
前記設定情報記憶判定手段により前記設定情報が前記記憶手段に記憶されていないと判定された場合、
　前記第２の表示手段は、前記第１の表示手段に表示された前記設定情報の入力に関する清報である前記撮影または前記印刷に関する設定を入力するための情報と同じ情報をさらに表示し、
　前記第２の入力受け付け手段は、前記第２の表示手段により表示された前記情報に対する操作入力をさらに受け付け、
　前記作成手段は、前記第２の入力受け付け手段により受け付けられた前記操作入力に基づいて前記設定情報をさらに作成し、
　前記撮影手段または前記印刷手段は、前記作成手段により作成された前記設定情報に基づいて
前記
前記
　ことを特徴とする
請求項１または２に
　
【請求項４】
は、
を表示し、前記音声出力手段は、前記画像印刷装置の操作方法の説明に関する情報に対応する音声情報を出力する
　ことを特徴とする
請求項１乃至３
　
【請求項５】
は、
情報を表示し、前記音声出力手段は、前記画像印刷装置の操作に関する情報に対応する音声情報を出力し、前記第１の入力受け付け手段は、前記画像印刷装置の操作に関する情報に対応する操作入力である模擬操作入力を受け付ける
　ことを特徴とする
請求項１乃至４
　
【請求項６】
ユーザに、自分自身の撮影、並びに、前記撮影により得られた自分自身の画像に対する編集を行わせ、前記編集により編集された前記画像の印刷を行い、編集された前記画像が印刷されたシールシートまたは紙を前記ユーザに提供する画像印刷装置の画像印刷方法であって、
　
前記画像印刷装置の崖体の側面に設けられた代金投入受け付け部により、前記ユーザが前記画像印刷装置を利用するとき投入する代金を受け付ける代金投入受け付けステップと、
　
前記筐体の側面に設けられた第１の表示部により、前記筐体の正面前方の、前記
において前の組のユーザが前記撮影を行っている間に、前記撮影の順番待ちをしている
前記撮影または前記印刷に関する設定を入力するための
　
前記筐体の側面に設けられた音声出力部により、前記第１の表示ステップの処理により表示される前記撮影または前記印刷に関する設定を入力するための情報に対応する音声情報を出力する音声出力ステップと、
　
前記筐体の側面に設けられた第１の入力受け付け部により、前記撮影の順番待ちをしているユーザによる、
前記撮影または前記印刷に関する設定を入力するための
　前記第１の入力受け付けステップの処理により受け付けられた前記操作入力に基づいて
、前記撮影または前記印刷に関する
　前記作成ステップの処理により作成された前記設定情報を
記憶部により
　
前記代金の投入が受け付けられているとき、
に設けられた撮影部により、前記筐体の側面近傍で待機して順番になると前記撮影空間に移動したユーザ
　前記撮影ステップの処理により撮影された
前記ユーザ
第２の表示部により
　前記第２の表示ステップの処理により表示された
前記ユーザ
第２の入力受け付け部により
　前記第２の入力受け付けステップの処理により受け付けられた前記編集入力に基づいて、
前記ユーザ
　前記編集ステップの処理により編集された
前記ユーザ
印刷部によりシールシートまたは紙に
　前記印刷ステップの処理により
前記ユーザ
前記
前記
排出部により
　を含み、
　前記撮影ステップまたは前記印刷ステップは、前記記憶ステップの処理により
前記記憶部に
前記
前記
　ことを特徴とする画像印刷方法。
　
【請求項７】
ユーザに、自分自身の撮影、並びに、前記撮影により得られた自分自身の画像に対する編集を行わせ、前記編集により編集された前記画像の印刷を行い、編集された前記画像が印刷されたシールシートまたは紙を前記ユーザに提供する処理を、コンピュータに行わせるプログラムにおいて、
　
画像印刷装置の筐体の側面に設けられた代金投入受け付け部により、前記ユーザが前記画像印刷装置を利用するとき投入する代金を受け付ける代金投入受け付けステップと、
　
前記筐体の側面に設けられた第１の表示部により、前記筐体の正面前方の、前記
において前の組のユーザが前記撮影を行っている間に、前記撮影の順番待ちをしている
前記撮影または前記印刷に関する設定を入力するための
　
前記筐体の側面に設けられた音声出力部により、前記第１の表示ステップの処理により表示される前記撮影または前記印刷に関する設定を入力するための情報に対応する音声情報を出力する音声出力ステップと、
　
前記筐体の側面に設けられた第１の入力受け付け部により、前記撮影の順番待ちをしているユーザによる、
前記撮影または前記印刷に関する設定を入力するための
　前記第１の入力受け付けステップの処理により受け付けられた前記操作入力に基づいて
、前記撮影または前記印刷に関する
　前記作成ステップの処理により作成された前記設定情報を
記憶部により
　
前記代金の投入が受け付けられているとき、
に設けられた撮影部により、前記筐体の側面近傍で待機して順番になると前記撮影空間に移動したユーザ
　前記撮影ステップの処理により撮影された
前記ユーザ
第２の表示部により
　前記第２の表示ステップの処理により表示された
前記ユーザ
第２の入力受け付け部により
　前記第２の入力受け付けステップの処理により受け付けられた前記編集入力に基づいて、
前記ユーザ
　前記編集ステップの処理により編集された
前記ユーザ
印刷部によりシールシートまたは紙に
　
前記
前記ユーザ
前
前記
排出部により
　を含み、
　前記撮影ステップまたは前記印刷ステップが、前記記憶ステップの処理により
前記記憶部に
前記
前記
　
ことを特徴とする
　（２）訂正事項ｂ
　特許明細書の段落【０００７】の記載を次のとおりに訂正する。
「【課題を解決するための手段】
  本発明の画像印刷装置は、
画像印刷装置の筐体の側面において、ユーザが画像印刷装置を利用するとき投入する代金を受け付ける代金投入受け付け手段と、筐体の側面において、筐体の正面前方の、
において前の組のユーザが撮影を行っている間に、撮影の順番待ちをしている
撮影または印刷に関する設定を入力するための
筐体の側面において、第１の表示手段により表示される撮影または印刷に関する設定を入力するための情報に対応する音声情報を出力する音声出力手段と、筐体の側面において、撮影の順番待ちをしているユーザによる、
撮影または印刷に関する設定を入力するための
、撮影または印刷に関する
代金の投入が受け付けられているとき、
筐体の側面近傍で待機して順番になると撮影空間に移動したユーザ
ユーザ
ユーザ
ユーザ
ユーザ
ユーザ
　（３）訂正事項ｃ
　特許明細書の段落【０００８】の記載を次のとおりに訂正する。
「
代金投入受け付け手段は、例えば、図１の硬貨投入口４１により構成され、
音声出力手段は、例えば、図１のスピーカ５２により構成され、
　（４）訂正事項ｄ
　特許明細書の段落【００１９】の記載を次のとおりに訂正する。
「
前記撮影手段が参照する設定情報を保持する保持手段と、シールシートの作成代金の投入が受け付けられたとき、記憶手段に設定情報が記憶されているか否かを判定する設定情報記憶判定手段とをさらに備え,設定情報記憶判定手段により設定情報が記憶手段に記憶されていると判定された場合、記憶手段は、記憶している設定情報を保持手段に転送し、撮影手段または印刷手段は、保持手段に保持されている設定情報に基づいて撮影または印刷を行い、設定情報記憶判定手段により設定情報が記憶手段に記憶されていないと判定された場合、
である撮影または印刷に関する設定を入力するための情報
　（５）訂正事項ｅ
　特許明細書の段落【００２２】の記載を削除する。
　（６）訂正事項ｆ
　特許明細書の段落【００２３】の記載を削除する。
　（７）訂正事項ｇ
　特許明細書の段落【００２４】の記載を削除する。
　（８）訂正事項ｈ
　特許明細書の段落【００２５】の記載を次のとおりに訂正する。
「前記第１の表示手段
は、
を表示し、音声出力手段は、画像印刷装置の操作方法の説明に関する情報に対応する音声情報を出力する
　（９）訂正事項ｉ
   特許明細書の段落【００２８】の記載を次のとおりに訂正する。
「前記第１の表示手段
は、
情報を表示し、音声出力手段は、画像印刷装置の操作に関する情報に対応する音声情報を出力し、第１の入力受け付け手段は、画像印刷装置の操作に関する情報に対応する操作入力である模擬操作入力を受け付ける
　（１０）訂正事項ｊ
　特許明細書の段落【００２９】の記載を次のとおりに訂正する。
「第１の表示手段は、図５のステップＳ４の処理のように、入力操作に関する情報を表示し、第１の入力受け付け手段により受け付けられた入力を表示している画像に反映させる。
また、このとき、音声出力手段は、第１の表示手段により表示される画像に対応する音声情報を出力する。
　（１１）訂正事項ｋ
　特許明細書の段落【００３１】の記載を削除する。
　（１２）訂正事項ｌ
　特許明細書の段落【００３２】の記載を削除する。
　（１３）訂正事項ｍ
　特許明細書の段落【００３３】の記載を削除する。
　（１４）訂正事項ｎ
　特許明細書の段落【００３４】の記載を次のとおりに訂正する。
「本発明の画像印刷装置の画像印刷方法は、
画像印刷装置の筐体の側面に設けられた代金投入受け付け部により、ユーザが画像印刷装置を利用するとき投入する代金を受け付ける代金投入受け付けステップと、筐体の側面に設けられた第１の表示部により、筐体の正面前方の、
において前の組のユーザが撮影を行っている間に、撮影の順番待ちをしている
撮影または印刷に関する設定を入力するための
筐体の側面に設けられた音声出力部により、第１の表示ステップの処理により表示される撮影または印刷に関する設定を入力するための情報に対応する音声情報を出力する音声出力ステップと、筐体の側面に設けられた第１の入力受け付け部により、撮影の順番待ちをしているユーザによる、
、撮影または印刷に関する
記憶部により
代金の投入が受け付けられているとき、
に設けられた撮影部により、筐体の側面近傍で待機して順番になると撮影空間に移動したユーザ
ユーザ
第２の表示部により
ユーザ
第２の入力受け付け部により
ユーザ
ユーザ
印刷部によりシールシートまたは紙に
ユーザ
排出部により
記憶部に
　（１５）訂正事項ｏ
　特許明細書の段落【００３５】の記載を次のとおりに訂正する。
「
代金投入受け付けステップは、例えば、図１０のステップＳ６２により構成され、
および音声出力ステップ
　（１６）訂正事項ｐ
　特許明細書の段落【００３８】の記載を次のとおりに訂正する。
「本発明のプログラムは、
画像印刷装置の筐体の側面に設けられた代金投入受け付け部により、ユーザが画像印刷装置を利用するとき投入する代金を受け付ける代金投入受け付けステップと、筐体の側面に設けられた第１の表示部により、筐体の正面前方の、
において前の組のユーザが撮影を行っている間に、撮影の順番待ちをしている
撮影または印刷に関する設定を入力するための
筐体の側面に設けられた音声出力部により、第１の表示ステップの処理により表示される撮影または印刷に関する設定を入力するための情報に対応する音声情報を出力する音声出力ステップと、筐体の側面に設けられた第１の入力受け付け部により、撮影の順番待ちをしているユーザによる、
撮影または印刷に関する設定を入力するための
、撮影または印刷に関する
記憶部により
代金の投入が受け付けられているとき、
に設けられた撮影部により、筐体側面近傍で待機して順番になると撮影空間に移動したユーザ
ユーザ
第２の表示部により
ユーザ
第２の入力受け付け部により
ユーザ
ユーザ
印刷部によりシールシートまたは紙に
ユーザ
排出部により
記憶部に
　　　　　　　　　　
　２　［訂正の目的の適否、新規事項の有無及び拡張・変更の存否］
　上記訂正事項ａは、訂正前のもとの請求項２、５、８を削除し、それに伴い、訂正前のもとの請求項３、４、６、７、９、１０をそれぞれ繰り上げて請求項２、３、４、５、６、７とし、それらの請求項に特許明細書の段落【０００２】、【０００３】、【００４１】、【００４３】、【００４８】、【００５０】、【００５３】、【００６１】、【００６４】、【００６８】、【００６９】、【００７７】、【００８０】、【００８８】、【００８９】、【００９０】、【００９２】、【００９８】、【０１０６】、【０１０８】、【０１０９】、【０１１０】、【０１１１】、【０１１３】、【０１１４】、【０１１７】、【０１１９】及び図１、図４、図１０、図１１の記載に基づいて、限定事項を付加すると共に明りょうでない記載の釈明をするものであり、上記訂正事項ａは、特許請求の範囲の減縮を目的とした訂正、あるいは明りょうでない記載の釈明を目的とした訂正に該当する。
　また、上記訂正事項ｂないしｐは、上記特許請求の範囲の訂正に伴い、これと整合を図るものであり、いずれも明りょうでない記載の釈明を目的とした訂正に該当する。
　そして、上記訂正事項ａないしｐは、いずれも特許明細書に記載されている事項の範囲内のものであり、新規事項の追加に該当せず、また実質上特許請求の範囲を拡張し、又は変更するものでもない。
　
　３　［むすび］
　以上のとおりであるから、上記訂正は、特許法第１２０条の４第２項及び第３項において準用する同法第１２６条第２項から第４項までの規定に適合するので、当該訂正を認める。　　　　
　　　　　　　　　　　　　　　　　　　
第３　【特許異議の申立てについて】
　１　［申立ての理由の概要］
　申立人森崎慎二は、証拠として、甲第１号証：特開２０００−６９４０４号公報、甲第２号証：特開平１１−９８４０４号公報、甲第３号証：特開平４−２０５０８４号公報、甲第４号証：特開平１１−３０１０６９号公報、甲第５号証：特開平１０−１２６７２６号公報、甲第６号証：特開２０００−８１６５２号公報、甲第７号証：特開平１１−１７９０５６号公報を提出し、特許請求の範囲の請求項１ないし１０に係る発明についての特許は、特許法第２９条第２項の規定に違反してなされたものであるから、特許を取り消すべき旨、主張している。
　　　　　　　　　　　　　　　
　２　［本件発明］
　上記第２で示したように上記訂正が認められるから、本件の請求項１ないし７に係る発明（以下、それぞれ「本件発明１ないし７」という。）は、上記訂正に係る訂正明細書の特許請求の範囲の請求項１ないし７に記載された事項により特定されるとおりのものである（上記第２の１（１）訂正事項ａ参照）。　　
　　　　　　　　　　　　　　　　　　　　　　　　　　
　３　［刊行物記載の発明］
　（１）当審で通知した取消しの理由において引用した刊行物１（上記甲第１号証）には、「画像プリント作成装置」（発明の名称）に関し、図面と共に、次に掲げる事項が記載されている。
　　ア　「利用者の画像を撮影し、撮影画像データを出力する撮影手段と、
　利用者が化粧入力を行う際に使用する入力手段と、
　予め決定された画像処理方法に基づいて、前記化粧入力に対応する化粧画像データを作成する化粧画像処理手段と、
　前記画像処理方法に基づいて、前記撮影画像データと前記化粧画像データとを合成して合成画像データを作成する合成手段と、
　前記合成画像データを表示する表示手段と、
　前記合成画像データを印刷するプリント手段と、を備える画像プリント作成装置。」（特許請求の範囲の請求項１）
　　イ　「画像プリント作成装置１は、直立した筐体２と、筐体２の上部から前方へ略水平に延びるフレーム３と、フレーム３から下方へ垂れ下がる背景幕４と、を備える。利用者が画像プリント装置１の前方へ立って撮影を行う際に、背景幕４は利用者の背後で撮影用の背景として利用される。
【００２３】筐体２の前面には、上方から下方へ向かって鏡板５、操作パネル６及び下部扉７が設けられる。鏡板５は利用者が撮影の際に自己の姿勢を映し出してポーズをとるために使用される。鏡板５の略中央には利用者を撮影するためのＣＣＤカメラ８が埋め込まれる。」（公報段落【００２２】、【００２３】）
　　ウ　「操作パネル６の中央には液晶ディスプレイを利用したモニタ１０が設けられ、その左右両側にタッチペン１１が設けられる。利用者画像の撮影が終了すると、撮影された画像がモニタ１０上に表示され、利用者はタッチペン１１を利用して撮影画像上に化粧処理を施すことができる。」（公報段落【００２４】）　
　　エ　「プリンタ２０は、画像プリントを作成する部分であり、撮影部５１により撮影され、後述の化粧処理などが施された後の画像（プリントすべきとして確定した画像、以下、「プリント画像」とも呼ぶ。）をシール紙などに印刷し、出力する。」（公報段落【００２９】）
　　オ　「次に、撮影画像の編集処理における表示画面について図６及び７を参照して説明する。本実施形態においては、撮影画像の編集処理モードとして化粧モードとお絵かきモードを採用する。化粧モードは撮影画像上に化粧を行うモードであり、お絵かきモードは撮影画像上に任意の文字、図形などを描くことができるモードである。以下、両者を含めて編集処理と呼ぶ。図６に編集処理におけるモニタ１０上の表示画像を示す。図６に示すように、編集処理時にはモニタ１０上には撮影画像及び種々の編集ツールが表示される。これら編集ツールをタッチペン１１を利用して選択、使用することにより化粧処理、お絵かき処理などの編集処理が行われる。」（公報段落【００３９】）
　　カ　「まず、利用者は画像プリント作成装置１の前に立ち、操作パネル６及びタッチペン１１を使用して撮影環境の設定を行う（ステップＳ２）。具体的には、まず、自己の撮影画像を合成すべき背景フレーム画像を選択する。次に、前述のカメラズーム機能を使用するか否かを入力する。カメラズーム機能を使用する場合には、さらにズーム倍率を指定する。
【００５９】さらに、利用者は前述のソフトフォーカス機能を使用するか否かを指示する。ソフトフォーカス機能を使用することを指示すると、フィルタ駆動モータ３２が動作しソフトフォーカスフィルタが撮影光学系内に配置される。これにより、モニタ１０上に表示される表示画像は、鋭い輪郭成分が抑制された滑らかな画像となる。」（公報段落【００５８】、【００５９】）
　（２）同じく、引用した刊行物２（上記甲第２号証）には、「撮像装置、撮像方法、画像印刷装置及び画像印刷方法」（発明の名称）に関し、図面と共に、次に掲げる事項が記載されている。
　　ア　「また、予め、撮像装置の設定データをＰＣ等の外部装置から入力しておくことにより、撮影場所では電源をＯＮして撮像モードにするだけで、自動的に各部が設定されるので、あわてて設定する必要がなく、また設定を忘れて意図しない撮影結果となってしまうことを防ぐことができる。」（公報段落【００１７】）
　　イ　「不図示のＰＣは、デジタルスチルカメラのシャッタースピード、圧縮率、解像度など、撮像動作に必要な各パラメータを設定するためのソフトウェアを起動し、上記ＰＣはＩｒＤＡ（Ｉｎｆｒａｒｅｄ　Ｄａｔａ　Ａｓｓｏｃｉａｔｉｏｎ）の仕様に準拠した赤外線通信機能を有している。」（公報段落【００４０】）
　　ウ　「続いてＰＣから赤外線信号でデータを受信する（Ｓ１０４）。ここでＰＣから受信されるデータは、ＰＣにより起動されているソフトウエアを用いてあらかじめ設定された圧縮率やシャッタースピードや解像度等、撮像動作に必要な各パラメータである。ステップＳ１０４でデータを受信すると、中央制御部１０１は計時部１０５による計時を停止し（Ｓ１０５）、受信したデータ（設定データ）をフラッシュメモリ１０４の特定領域（設定データ格納領域）に格納する（Ｓ１０６）。同様に、次のデータを受信したらフラッシュメモリ１０４に順次格納する。一連の設定データの受信を終了するか、またはＰＣから設定データ送信終了を示すデータが送信されてきたら（Ｓ１０７）、赤外線通信を切断するためのコマンドを送信し合い、通信を終了する（Ｓ１０８）。」（公報段落【００４２】）
　　エ　「また、不図示のＰＣでは、画像に付加するタイトルや撮像場所等の付加情報をデジタルスチルカメラに送信するためのソフトウェアを起動し、上記ＰＣはＩｒＤＡの仕様に準拠した赤外線通信機能を有しているものとする。」（公報段落【００５０】）
　　オ　「これを繰り返して所望の画像データを液晶表示部９１７に表示させている時に、図１に示すデジタルスチルカメラ１を操作してモード設定スイッチ２０３を再生モードに設定し、画像選択スイッチ２０４を操作してフラッシュメモリ１０４の中から印刷したい画像データを液晶表示画面２０７に表示させ、印刷スイッチ２０５を押下すると、該表示している画像データを印刷データに変換して、赤外線通信により印刷データの送信を開始する。この時例えば、図２に示した液晶表示画面２０７へ表示させている画像データを印刷するものとする。」（公報段落【００７０】）
　（３）同じく、引用した刊行物３（上記甲第３号証）には、「販売装置」（発明の名称）に関し、図面と共に、次に掲げる事項が記載されている。
　　ア　「媒体の購入に必要な購入情報を携帯可能な販売装置に入力し、この販売装置に入力された購入情報を実際に媒体を販売する販売装置に送信して、この送信された購入情報に基づいて媒体を販売する」（公報２頁左上欄９行〜１３行）
　　イ　「購入枚数を設定する購入枚数設定部３４、連絡可能な路線があれば連絡可能路線名を設定する連絡可能路線設定部３６、乗車券の料金を最低料金から表示する料金表示部３８、上記購入枚数設定部３４、連絡可能路線設定部３６あるいは料金表示部３８で設定された情報を取り消す取り消し釦４０等から構成されている。」（公報２頁左下欄５行〜１１行）
　　ウ　「第２の乗車券購入者は接客面に設けられる転送釦３２を押圧し、購入情報入力装置２０に入力した購入情報を券売機１０へ転送する。購入情報が転送された券売機１０は、購入情報を料金表示部２６に表示する。」（公報２頁右下欄９行〜１３行）
　　エ　「表示された購入情報に誤りあるいは訂正があれば料金表示部２６を操作して訂正を行い開始釦３３を押圧して乗車券の発行処理を行う。乗車券は、排出口３０に排出される。」（公報２頁右下欄１５行〜１８行）
　　オ　「現在券売機に直面している購入客の次の購入客が券売機に直面する以前に事前に購入情報を設定することができるため、券売機に直面してからの購入情報の設定誤りを減少させることができ、また、券売機に直面しての購入情報を設定する時間を短縮することができるため、券売機での乗車券購入による混雑を緩和することができる。」（公報２頁右下欄２０行〜３頁左上欄６行）
　（４）同じく、引用した刊行物４（上記甲第４号証）には、「課金式プリンタ」（発明の名称）に関し、図面と共に、次に掲げる事項が記載されている。
　　「図６に示すようにシールを新規作成するのか、登録してあるシール情報を呼び出すためのかを利用者に選択させる画面を表示する（ステップＳ７）。すなわち、「新規作成」「登録呼出」がＣＲＴ上に表示され、利用者は、いずれかをタッチして選択する（ステップＳ８、９）。」（公報１１頁右欄３９行〜４４行）　
　（５）同じく、引用した刊行物５（上記甲第５号証）には、「利用者画像プリントを出力する、背景画を書き込み可能なアミューズメント装置」（発明の名称）に関し、図面と共に、次に掲げる事項が記載されている。
　　「ＣＰＵ１３は、サウンド回路１７を制御してスピー力１８を駆動することにより、コインを投入したとき利用者に対し操作方法を音声案内したり、画像を表示中に、一定の音楽などを流したりできる。」（公報３頁左欄１２行〜１５行）
　（６）同じく、引用した刊行物６（上記甲第６号証）には、「撮影システム」（発明の名称）に関し、図面と共に、次に掲げる事項が記載されている。
　　「各コース毎に、表示モニタ４とスピーカ６とから、映像と音声で撮影に関する事前説明があり(Ｓ１０５)、撮影がスタートする(Ｓ１０６)。」（公報３頁右欄１８行〜２０行）
　（７）同じく、引用した刊行物７（上記甲第７号証）には、「ゲームシステムおよびゲーム用プログラムが記録されたコンピュータ読み取り可能な記録媒体」（発明の名称）に関し、図面と共に、次に掲げる事項が記載されている。
　　ア　「図３はＣＰＵ５０によるゲームの制御手順を示すフローチャートである。本ゲーム機１では、第１のゲームとしての競馬レースを行なう「レースモード」と、その競馬レースで必要な知識や操作をプレイヤーに習得させる目的で構成された第２のゲームとしての練習ゲームを行なう「学校モード」とが用意されており、プレイヤーはいずれかのモードを選択してゲームを行なう。」（公報４頁右欄４７行〜５頁左欄４行）
　　イ　「ステップＳ４では、レースモードまたは学校モードの選択が表示装置３を介してプレイヤーに要求され、それに対するプレイヤーの選択操作がＣＰＵ５０にて検出される。選択が行なわれると学校モードが選択されたか否かが判別され、学校モードのときはステップＳ１１へ、そうでないときはステップＳ２１へ処理が進められる。」（公報５頁左欄２３行〜２９行）
　　　　　　　　　　　　　　　　　　　　
　４　［当審の判断］
　（１）　本件発明１について
　刊行物１には、利用者の画像を撮影し、撮影画像データを出力する撮影手段と、利用者が化粧入力を行う際に使用する入力手段と、予め決定された画像処理方法に基づいて、前記化粧入力に対応する化粧画像データを作成する化粧画像処理手段と、前記画像処理方法に基づいて、前記撮影画像データと前記化粧画像データとを合成して合成画像データを作成する合成手段と、前記合成画像データを表示する表示手段と、前記合成画像データを印刷するプリント手段と、を備える画像プリント作成装置が記載されているものの（刊行物１の上記アの記載参照）、本件発明１の画像印刷装置のように、順番待ちしているユーザに対する処理と、「撮影空間」のユーザに対する処理とを平行して実行し、「筐体の側面」と「筐体の正面」（撮影空間）を利用して、互いに異なる２組のユーザ（「筐体の側面」のユーザと「筐体の正面」のユーザ）を同時に接客することができる、すなわち本件発明１の主要な事項である「前記筐体の側面において、前記筐体の正面前方の、前記撮影が行われる撮影空間において前の組のユーザが前記撮影を行っている間に、前記撮影の順番待ちをしている撮影前のユーザに対して前記撮影または前記印刷に関する設定を入力するための情報を表示する第１の表示手段」、「前記筐体の側面において、前記撮影の順番待ちをしているユーザによる、前記第１の表示手段により表示された前記撮影または前記印刷に関する設定を入力するための情報に対する操作入力を受け付ける第１の入力受け付け手段と、前記第１の入力受け付け手段により受け付けられた前記操作入力に基づいて、前記撮影または前記印刷に関する設定情報を作成する作成手段」を備え、「前記撮影手段または前記印刷手段は、前記記憶手段により記憶された前記設定情報に基づいて、前記撮影または前記印刷を行う」点の構成（以下「構成Ａ」という。）については何も記載がなく、示唆もない。
　また、刊行物２には、予め撮像装置の設定データをＰＣ等の外部装置から入力しておくことにより、撮影場所では電源をＯＮして撮像モードにするだけで、自動的に各部が設定されるので、あわてて設定する必要がなく、また設定を忘れて意図しない撮影結果となってしまうことを防ぐことができること（刊行物２の上記アの記載参照）、また、刊行物３には、媒体の購入に必要な購入情報を携帯可能な販売装置に入力し、この販売装置に入力された購入情報を実際に媒体を販売する販売装置に送信して、この送信された購入情報に基づいて媒体を販売すること（刊行物３の上記アの記載参照）、また、刊行物４には、シールを新規作成するのか、登録してあるシール情報を呼び出すためのかを利用者に選択させる画面を表示すること（刊行物４の上記記載参照）、また、刊行物５には、サウンド回路１７を制御してスピー力１８を駆動することにより、コインを投入したとき利用者に対し操作方法を音声案内したりすること（刊行物５の上記記載参照）、また、刊行物６には、各コース毎に、表示モニタ４とスピーカ６とから、映像と音声で撮影に関する事前説明があり(Ｓ１０５)、撮影がスタートする(Ｓ１０６)こと（刊行物６の上記記載参照）、さらに、刊行物７には、第１のゲームとしての競馬レースを行なう「レースモード」と、その競馬レースで必要な知識や操作をプレイヤーに習得させる目的で構成された第２のゲームとしての練習ゲームを行なう「学校モード」とが用意されており、プレイヤーはいずれかのモードを選択してゲームを行なうこと（刊行物７の上記アの記載参照）が、それぞれ記載されている。
　しかしながら、刊行物２ないし７のいずれにも本件発明１の上記構成Ａについては記載がなく、示唆もない。
　以上のように、上記各刊行物のいずれにも本件発明１の主要な事項である上記構成Ａについて何も記載がなく、示唆もないのであるから、上記各刊行物に記載の発明を組み合わせても本件発明１が容易になし得るとはいえない。
　そして、本件発明１は、上記構成Ａを採用することによって、「他のユーザが撮影空間に存在し、順番待ちをしているユーザは、順番待ちをしている間に、第１の表示手段により操作に関する説明を受けたり、手順を練習したり、設定を行ったりすることができ、順番待ちをしているユーザに順番が回ってきたときに、そのユーザは、撮影から印刷までの操作を、スムーズに行うことができる。」（特許明細書の段落【００１１】）、「ユーザの回転率を向上させ、順番待ちの時間を短縮することができる。」（特許明細書の【発明の効果】欄）等の明細書記載の顕著な作用効果を奏するものである。
　よって、本件発明１は、上記各刊行物に記載された発明から容易に発明をすることができたものとはいえない。　
　（２）　本件発明２ないし５について
　本件発明２ないし５は、本件発明１を直接的あるいは間接的に引用し、更に限定事項を付加したものであるから、本件発明１について検討した上記（１）と同様の理由により、上記各刊行物に記載された発明から容易に発明をすることができたものとはいえない。　　　　　　　　　　　　
　（３）　本件発明６について
　本件発明６は、本件発明１の装置を方法として表現したものであり、本件発明１について検討した上記（１）と同様の理由により、上記各刊行物に記載された明から容易に発明をすることができたものとはいえない。　　　　
　（４）　本件発明７について
　本件発明７は、本件発明１の装置を方法として表現した本件発明６を、さらにプログラムとして表現したものであり、上記（１）と同様の理由により、上記各刊行物に記載された発明から容易に発明をすることができたものとはいえない。
　　　　　　　　　　　　　　　　　　　　　　　　　　　
第４　【むすび】
　以上のとおりであるから、特許異議申立ての理由及び証拠によっては、本件請求項１ないし７に係る発明の特許を取り消すことはできない。
　また、他に本件請求項１ないし７に係る発明の特許を取り消すべき理由を発見しない。
　よって、結論のとおり決定する。
【異議決定日】
平成１６年９月２７日（２００４．９．２７）
【訂正の要旨】
審決（決定）の【理由】欄参照。
（５４）【発明の名称】
画像印刷装置および方法、並びにプログラム
（５７）【特許請求の範囲】
　【請求項１】　
ユーザに、自分自身の撮影、並びに、前記撮影により得られた自分自身の画像に対する編集を行わせ、前記編集により編集された前記画像の印刷を行い、編集された前記画像が印刷されたシールシートまたは紙を前記ユーザに提供する画像印刷装置であって、
　
前記画像印刷装置の筐体の側面において、前記ユーザが前記画像印刷装置を利用するとき投入する代金を受け付ける代金投入受け付け手段と、
　
前記筐体の側面において、前記筐体の正面前方の、前記
において前の組のユーザが前記撮影を行っている間に、前記撮影の順番待ちをしている
前記撮影または前記印刷に関する設定を入力するための
　
前記筐体の側面において、前記第１の表示手段により表示される前記撮影または前記印刷に関する設定を入力するための情報に対応する音声情報を出力する音声出力手段と、
　
前記筐体の側面において、前記撮影の順番待ちをしているユーザによる、
前記撮影または前記印刷に関する設定を入力するための
　前記第１の入力受け付け手段により受け付けられた前記操作入力に基づいて
、前記撮影または前記印刷に関する
　前記作成手段により作成された前記設定情報を記憶する記憶手段と、
　
前記代金の投入が受け付けられているとき、
前記筐体の側面近傍で待機して順番になると前記撮影空間に移動したユーザ
　前記撮影手段により撮影された
前記ユーザ
　前記第２の表示手段により表示された
前記ユーザ
　前記第２の入力受け付け手段により受け付けられた前記編集入力に基づいて、
前記ユーザ
　前記編集手段により編集された
前記ユーザ
　前記印刷手段により
前記ユーザ
　を備え、
　前記撮影手段または前記印刷手段は、前記記憶手段により記憶された前記設定情報に基づいて、
前記
前記
　ことを特徴とする画像印刷装置。
　
【請求項２】
　前記第１の入力受け付け手段は、前記第１の表示手段により表示された前記確認画面に対する操作入力をさらに受け付け、
　前記記憶手段は、前記第１の入力受け付け手段により、前記設定情報使用の指示が受け付けられた場合、前記設定情報を記憶する
　ことを特徴とする
請求項１
　
【請求項３】
前記撮影手段が参照する前期設定情報を保持する保持手段と、
　
前記シールシートの作成代金の投入が受け付けられたとき、前記記憶手段に前記設定情報が記憶されているか否かを判定する設定情報記憶判定手段と
　
をさらに備え、
　
前記設定情報記憶判定手段により前記設定情報が前記記憶手段に記憶されていると判定された場合、
　
前記記憶手段は、記憶している前記設定情報を前記保持手段に転送し、
　
前記撮影手段または前記印刷手段は、前記保持手段に保持されている前記設定情報に基づいて前記撮影または前記印刷を行い、
　
前記設定情報記憶判定手段により前記設定情報が前記記憶手段に記憶されていないと判定された場合、
　前記第２の表示手段は、前記第１の表示手段に表示された前記設定情報の入力に関する情報
である前記撮影または前記印刷に関する設定を入力するための情報
　前記第２の入力受け付け手段は、前記第２の表示手段により表示された前記情報に対する操作入力をさらに受け付け、
　前記作成手段は、前記第２の入力受け付け手段により受け付けられた前記操作入力に基づいて前記設定情報をさらに作成し、
　前記撮影手段または前記印刷手段は、前記作成手段により作成された前記設定情報に基づいて
前記
前記
　ことを特徴とする
請求項１または２に
　
【請求項４】
は、
を表示し、前記音声出力手段は、前記画像印刷装置の操作方法の説明に関する情報に対応する音声情報を出力する
　ことを特徴とする
請求項１乃至３
　
【請求項５】
は、
情報を表示し、前記音声出力手段は、前記画像印刷装置の操作に関する情報に対応する音声情報を出力し、前記第１の入力受け付け手段は、前記画像印刷装置の操作に関する情報に対応する操作入力である模擬操作入力を受け付ける
　ことを特徴とする
請求項１乃至４
　
【請求項６】
ユーザに、自分自身の撮影、並びに、前記撮影により得られた自分自身の画像に対する編集を行わせ、前記編集により編集された前記画像の印刷を行い、編集された前記画像が印刷されたシールシートまたは紙を前記ユーザに提供する画像印刷装置の画像印刷方法であって、
　
前記画像印刷装置の筐体の側面に設けられた代金投入受け付け部により、前記ユーザが前記画像印刷装置を利用するとき投入する代金を受け付ける代金投入受け付けステップと、
　
前記筐体の側面に設けられた第１の表示部により、前記筐体の正面前方の、前記
において前の組のユーザが前記撮影を行っている間に、前記撮影の順番待ちをしている
前記撮影または前記印刷に関する設定を入力するための
　
前記筐体の側面に設けられた音声出力部により、前記第１の表示ステップの処理により表示される前記撮影または前記印刷に関する設定を入力するための情報に対応する音声情報を出力する音声出力ステップと、
　
前記筐体の側面に設けられた第１の入力受け付け部により、前記撮影の順番待ちをしているユーザによる、
前記撮影または前記印刷に関する設定を入力するための
　前記第１の入力受け付けステップの処理により受け付けられた前記操作入力に基づいて
、前記撮影または前記印刷に関する
　前記作成ステップの処理により作成された前記設定情報を
記憶部により
　
前記代金の投入が受け付けられているとき、
に設けられた撮影部により、前記筐体の側面近傍で待機して順番になると前記撮影空間に移動したユーザ
　前記撮影ステップの処理により撮影された
前記ユーザ
第２の表示部により
　前記第２の表示ステップの処理により表示された
前記ユーザ
第２の入力受け付け部により
　前記第２の入力受け付けステップの処理により受け付けられた前記編集入力に基づいて、
前記ユーザ
　前記編集ステップの処理により編集された
前記ユーザ
印刷部によりシールシートまたは紙に
　前記印刷ステップの処理により
前記ユーザ
前記
前記
排出部により
　を含み、
　前記撮影ステップまたは前記印刷ステップは、前記記憶ステップの処理により
前記記憶部に
前記
前記
　ことを特徴とする画像印刷方法。
　
【請求項７】
ユーザに、自分自身の撮影、並びに、前記撮影により得られた自分自身の画像に対する編集を行わせ、前記編集により編集された前記画像の印刷を行い、編集された前記画像が印刷されたシールシートまたは紙を前記ユーザに提供する処理を、コンピュータに行わせるプログラムにおいて、
　
画像印刷装置の筐体の側面に設けられた代金投入受け付け部により、前記ユーザが前記画像印刷装置を利用するとき投入する代金を受け付ける代金投入受け付けステップと、
　
前記筐体の側面に設けられた第１の表示部により、前記筐体の正面前方の、前記
において前の組のユーザが前記撮影を行っている間に、前記撮影の順番待ちをしている
前記撮影または前記印刷に関する設定を入力するための
　
前記筐体の側面に設けられた音声出力部により、前記第１の表示ステップの処理により表示される前記撮影または前記印刷に関する設定を入力するための情報に対応する音声情報を出力する音声出力ステップと、
　
前記筐体の側面に設けられた第１の入力受け付け部により、前記撮影の順番待ちをしているユーザによる、
前記撮影または前記印刷に関する設定を入力するための
　前記第１の入力受け付けステップの処理により受け付けられた前記操作入力に基づいて
、前記撮影または前記印刷に関する
　前記作成ステップの処理により作成された前記設定情報を
記憶部により
　
前記代金の投入が受け付けられているとき、
に設けられた撮影部により、前記筐体の側面近傍で待機して順番になると前記撮影空間に移動したユーザ
　前記撮影ステップの処理により撮影された
前記ユーザ
第２の表示部により
　前記第２の表示ステップの処理により表示された
前記ユーザ
第２の入力受け付け部により
　前記第２の入力受け付けステップの処理により受け付けられた前記編集入力に基づいて、
前記ユーザ
　前記編集ステップの処理により編集された
前記ユーザ
印刷部によりシールシートまたは紙に
　
前記
前記ユーザ
前
前記
排出部により
　を含み、
　前記撮影ステップまたは前記印刷ステップが、前記記憶ステップの処理により
前記記憶部に
前記
前記
　
ことを特徴とする
【発明の詳細な説明】
　【０００１】
　【発明の属する技術分野】
　本発明は画像印刷装置および方法、並びにプログラムに関し、特に、撮影空間外に、画像印刷装置に対して着脱自在なモニタ画面および入力装置を有し、撮影前のユーザに対して操作を説明し、模擬操作をさせ、撮影の設定情報を作成することにより、ユーザの回転率を向上させ、順番待ちの時間を短縮するようにした画像印刷装置および方法、並びにプログラムに関する。
　【０００２】
　【従来の技術】
　従来、ユーザの画像を撮影し、これを予め用意されたフレーム画像と合成してシール紙などに印刷して提供する画像印刷装置（例えば、プリントクラブ（商標））が知られている。
　【０００３】
　そして、この画像印刷装置には、ユーザが、撮影時や印刷時などの各種設定を行ったり、撮影された画像上に付属のペンで任意の文字や図形などを書き込んだり（編集したり）することができるようになされているものも存在する。ユーザは、このような機能を使用して、提供される印刷物のオリジナリティを高めることができる。
　【０００４】
　【発明が解決しようとする課題】
　しかしながら、このような画像印刷装置においては、操作項目が多く、１回の利用時間が長いので、順番待ちをしているユーザは長時間待たなければならないという課題がある。
　【０００５】
　また、画像印刷装置を管理する、例えば、ゲームセンターの側としても、ユーザの回転率が高いほど収益率が向上し、好ましい。
　【０００６】
　本発明はこのような状況に鑑みてなされたものであり、撮影空間外に画像印刷装置に対して着脱自在にモニタ画面および入力装置を設置し、撮影前のユーザに対して操作を説明し、模擬操作をさせ、撮影の設定情報を作成することにより、ユーザの回転率を向上させ、順番待ちの時間を短縮できるようにするものである。
　【０００７】
　【課題を解決するための手段】
　本発明の画像印刷装置は、
画像印刷装置の筐体の側面において、ユーザが画像印刷装置を利用するとき投入する代金を受け付ける代金投入受け付け手段と、筐体の側面において、筐体の正面前方の、
において前の組のユーザが撮影を行っている間に、撮影の順番待ちをしている
撮影または印刷に関する設定を入力するための
筐体の側面において、第１の表示手段により表示される撮影または印刷に関する設定を入力するための情報に対応する音声情報を出力する音声出力手段と、筐体の側面において、撮影の順番待ちをしているユーザによる、
撮影または印刷に関する設定を入力するための
、撮影または印刷に関する
代金の投入が受け付けられているとき、
筐体の側面近傍で待機して順番になると撮影空間に移動したユーザ
ユーザ
ユーザ
ユーザ
ユーザ
ユーザ
　【０００８】
　
代金投入受け付け手段は、例えば、図１の硬貨投入口４１により構成され、
音声出力手段は、例えば、図１のスピーカ５２により構成され、
　【０００９】
　第１の表示手段、および第２の表示手段は、例えば、図１に示すように、筐体１０の側面と正面にそれぞれ設けられる。
　【００１０】
　撮影の順番待ちをしているユーザは、第１の表示手段により表示される操作説明等の情報により撮影から印刷までの手順を確認し、場合によってはカメラや印刷の設定を事前に行う。そして、順番が回ってくると、ユーザは、撮影空間に入場し、撮影を行い、撮影した画像を編集する。
　【００１１】
　撮影空間と異なる位置に第１の表示装置および第１の入力受け付け手段を設けることにより、例えば、他のユーザが撮影空間に存在し、順番待ちをしているユーザは、順番待ちをしている間に、第１の表示手段により操作に関する説明を受けたり、手順を練習したり、設定を行ったりすることができ、順番待ちをしているユーザに順番が回ってきたときに、そのユーザは、撮影から印刷までの操作を、スムーズに行うことができる。
　【００１２】
　以上のように構成することにより、順番待ちの時間を短縮することができる。また、画像印刷装置を管理する管理者の側からしても、ユーザの回転率が向上するため、収益率を向上させることができる。
　【００１３】
　前記第１の表示手段は、作成手段により作成された設定情報を、撮影手段による撮影、または印刷手段による印刷において使用するか否かを確認する確認画面をさらに表示し、第１の入力受け付け手段は、第１の表示手段により表示された確認画面に対する操作入力をさらに受け付け、記憶手段は、第１の入力受け付け手段により、設定情報使用の指示が受け付けられた場合、設定情報を記憶するようにすることができる。
　【００１４】
　以上のように、確認画面を表示することにより、ユーザが設定した内容を確認することができる。
　【００１９】
　
前記撮影手段が参照する設定情報を保持する保持手段と、シールシートの作成代金の投入が受け付けられたとき、記憶手段に設定情報が記憶されているか否かを判定する設定情報記憶判定手段とをさらに備え、設定情報記憶判定手段により設定情報が記憶手段に記憶されていると判定された場合、記憶手段は、記憶している設定情報を保持手段に転送し、撮影手段または印刷手段は、保持手段に保持されている設定情報に基づいて撮影または印刷を行い、設定情報記憶判定手段により設定情報が記憶手段に記憶されていないと判定された場合、
である撮影または印刷に関する設定を入力するための情報
　【００２０】
　撮影手段による撮影、および印刷手段による印刷は、図１０のステップＳ６５の処理のように、撮影空間において設定情報を作成してから行うこともできる。
　【００２１】
　撮影空間において設定情報を作成して撮影および印刷を行うことにより、順番待ちをしているときに設定情報を作成しなかったユーザも撮影および印刷を行うことができる。
　【００２５】
　前記第１の表示手段
は、
を表示し、音声出力手段は、画像印刷装置の操作方法の説明に関する情報に対応する音声情報を出力する
　【００２６】
　第１の表示手段は、図５のステップＳ１の処理のように、撮影から印刷までの操作方法に関する説明を表示する。
　【００２７】
　この説明を視聴することにより、順番待ちをしているユーザは、操作の手順を理解し、撮影から印刷までの作業をスムーズに行うことができる。
　【００２８】
　前記第１の表示手段
は、
情報を表示し、音声出力手段は、画像印刷装置の操作に関する情報に対応する音声情報を出力し、第１の入力受け付け手段は、画像印刷装置の操作に関する情報に対応する操作入力である模擬操作入力を受け付ける
　【００２９】
　第１の表示手段は、図５のステップＳ４の処理のように、入力操作に関する情報を表示し、第１の入力受け付け手段により受け付けられた入力を表示している画像に反映させる。
また、このとき、音声出力手段は、第１の表示手段により表示される画像に対応する音声情報を出力する。
　【００３０】
　この模擬操作を行うことにより、順番待ちをしているユーザは、入力操作の手順を理解し、撮影から印刷までの作業をスムーズに行うことができる。
　【００３４】
　本発明の画像印刷装置の画像印刷方法は、
画像印刷装置の筐体の側面に設けられた代金投入受け付け部により、ユーザが画像印刷装置を利用するとき投入する代金を受け付ける代金投入受け付けステップと、筐体の側面に設けられた第１の表示部により、筐体の正面前方の、
において前の組のユーザが撮影を行っている間に、撮影の順番待ちをしている
撮影または印刷に関する設定を入力するための
筐体の側面に設けられた音声出力部により、第１の表示ステップの処理により表示される撮影または印刷に関する設定を入力するための情報に対応する音声情報を出力する音声出力ステップと、筐体の側面に設けられた第１の入力受け付け部により、撮影の順番待ちをしているユーザによる、
、撮影または印刷に関する
記憶部により
代金の投入が受け付けられているとき、
に設けられた撮影部により、筐体の側面近傍で待機して順番になると撮影空間に移動したユーザ
ユーザ
第２の表示部により
ユーザ
第２の入力受け付け部により
ユーザ
ユーザ
印刷部によりシールシートまたは紙に
ユーザ
排出部により
記憶部に
　【００３５】
　
代金投入受け付けステップは、例えば、図１０のステップＳ６２により構成され、
および音声出力ステップ
　【００３８】
　本発明のプログラムは、
画像印刷装置の筐体の側面に設けられた代金投入受け付け部により、ユーザが画像印刷装置を利用するとき投入する代金を受け付ける代金投入受け付けステップと、筐体の側面に設けられた第１の表示部により、筐体の正面前方の、
において前の組のユーザが撮影を行っている間に、撮影の順番待ちをしている
撮影または印刷に関する設定を入力するための
筐体の側面に設けられた音声出力部により、第１の表示ステップの処理により表示される撮影または印刷に関する設定を入力するための情報に対応する音声情報を出力する音声出力ステップと、筐体の側面に設けられた第１の入力受け付け部により、撮影の順番待ちをしているユーザによる、
撮影または印刷に関する設定を入力するための
、撮影または印刷に関する
記憶部により
代金の投入が受け付けられているとき、
に設けられた撮影部により、筐体側面近傍で待機して順番になると撮影空間に移動したユーザ
ユーザ
第２の表示部により
ユーザ
第２の入力受け付け部により
ユーザ
ユーザ
印刷部によりシールシートまたは紙に
ユーザ
排出部により
記憶部に
　【００３９】
　本発明のプログラムは、所定の記録媒体に記録されて、例えば、図４のドライブ１４０により読み出され、画像印刷装置にインストールされる。記録媒体は、フロッピディスクなどよりなる磁気ディスク、ＣＤ−ＲＯＭ（Ｃｏｍｐａｃｔ　Ｄｉｓｋ　Ｒｅａｄ　ＯｎｌｙＭｅｍｏｒｙ）、ＤＶＤ−ＲＯＭ（Ｄｉｇｉｔａｌ　Ｖｅｒｓａｔｉｌｅ　Ｄｉｓｋ）などよりなる光ディスク、ＭＤ（ＭｉｎｉＤｉｓｋ）などよりなる光磁気ディスク、または半導体メモリなどより構成される。
　【００４０】
　【発明の実施の形態】
　図１は、本発明を適用した画像印刷装置の構成例を示す斜視図である。
　【００４１】
　画像印刷装置１の筐体１０の正面中央上方には、ＣＣＤ（Ｃｈａｒｇｅ　Ｃｏｕｐｌｅｄ　Ｄｅｖｉｃｅ）、あるいはＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）などよりなるカメラ１１が配置されており、カメラ１１は所定の角度だけ斜め下方向を向いている。また、カメラ１１は、撮影時において、ユーザの操作により、予め定められた所定の角度だけ、向きを変更することができる。さらに、カメラ１１は、ユーザの操作に基づいて、広角や望遠等のレンズを、内部に組み込んで撮影することができる。
　【００４２】
　カメラ１１により取り込まれた画像は、筐体１０の正面のやや上方に、正面を向くように設置されている撮影用モニタ１２に表示される。撮影用モニタ１２は、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）等により構成され、撮影時にカメラ１１により取り込まれている被写体の画像を表示する。被写体であるユーザは、撮影用モニタ１２に表示された画像を見ることにより、撮影時の姿勢を決定する。
　【００４３】
　筐体１０の正面のやや上方左右には照明装置１３が配置されている。照明装置１３は、内部に発光体（フラッシュ）を有しており、ユーザから撮影の開始が指示され、カメラ１１が被写体を撮影するとき（キャプチャするとき）、そのタイミングに合わせて被写体を照明する。
　【００４４】
　撮影モード終了後、落書き編集モードになると、撮影された画像は、筐体１０の、斜め上方を向いたテーブル１０Ａの正面中央に設置されている編集用モニタ２１に表示される。編集用モニタ２１は、ＣＲＴやＬＣＤ等により構成され、操作方法を案内する画面、編集ツールの選択ボタン、カメラ１１により撮影された被写体の画像、および編集入力した画像等を表示する。
　【００４５】
　操作パネル２２は、テーブル１０Ａの中央右側に設置され、ユーザにより操作される各種の操作ボタンよりなり、例えば、カメラ１１のズームを調整するときなどに操作される。
　【００４６】
　タッチペン２３および２４は、テーブル１０Ａ中央の左右に設けられている。編集用モニタ２１には、タッチパネル１２３（図４参照）が積層されており、ユーザは、編集用モニタ２１に表示されている画像に対して、タッチペン２３または２４を操作することにより編集対象の画像に任意の文字や図形などを書き込んだり（入力したり）、表示されたボタンを選択したりすることができる。タッチペン２３および２４は、編集用モニタ２１に積層されるタッチパネル１２３の位相検出方式（例えば、抵抗膜式、超音波式等）に応じて構成される。
　【００４７】
　筐体１０の正面の下方左右にはスピーカ３１が設けられている。スピーカ３１は、各種の音声ガイダンスを出力し、ユーザに対して、操作（撮影、画像編集、および印刷等）の方法を案内する。
　【００４８】
　筐体１０の右側面の中央左には、硬貨投入口４１が設けられており、ユーザは画像印刷装置１を利用するとき、所定の金額を投入する。
　【００４９】
　印刷物取り出し口４２は、画像印刷装置１の筐体１０の右側面下方に設けられており、所定の数、および大きさの複数のシールからなる、編集済みの画像が印刷されたシールシートを排出する。
　【００５０】
　撮影前作業パネル５０は、順番待ちをしているユーザに対して操作説明等の情報を表示する撮影前作業用モニタ５１、音声による操作説明を出力するスピーカ５２、および、撮影前作業用モニタ５１に表示された画像に対する入力を受け付けるタッチペン５３により構成され、筐体１０の右側面に対して着脱可能に設置されている。なお、撮影前作業パネル５０はケーブル５４により筐体１０と接続されており、ユーザは、撮影前作業パネル５０を、筐体１０から外した状態で操作することができる。また、ケーブル５４は、乱暴な操作やいたずら等による切断防止のために鉄製の鎖等で補強されており、耐久性を向上させている。
　【００５１】
　図２は、筐体１０より撮影前作業パネル５０を分離した様子を表している。撮影前作業パネル５０は、ユーザにより、筐体１０に対して着脱される。これにより、ユーザは好みの姿勢で、撮影前作業用モニタ５１に表示される画像を視聴することができる。
　【００５２】
　図３は、図１の画像印刷装置１の配置例を示す図である。
　【００５３】
　筐体１０の上部には、図３に示すように水平前方にカーテンフレーム７１が取り付けられ、それにカーテン７２が設けられる。また、同様に筐体１０の上部には、水平右方向にカーテンフレーム８１が取り付けられ、それにカーテン８２が設けられる。カーテンフレーム７１はカーテン７２を、また、カーテンフレーム８１はカーテン８２を吊るすものであり、カーテン７２およびカーテン８２は、外光を遮断し、良好な画像を撮影するのに寄与する。
　【００５４】
　図４は、図１乃至図３に示した画像印刷装置１の内部の構成例を示すブロック図である。図１乃至図３において説明した部分についての説明は省略する。
　【００５５】
　ＣＰＵ（Ｃｅｎｔｒａｌ　Ｐｒｏｃｅｓｓｉｎｇ　Ｕｎｉｔ）１０１は、ＲＯＭ（Ｒｅａｄ　Ｏｎｌｙ　Ｍｅｍｏｒｙ）１０２に記憶されているプログラム、または、プログラム記憶部１０４からＲＡＭ（Ｒａｎｄｏｍ　Ａｃｃｅｓｓ　Ｍｅｍｏｒｙ）１０３にロードしたプログラムに従って画像印刷装置１の全体の動作を、バス１２０を介して制御する。ＲＡＭ１０３にはまた、ＣＰＵ１０１が各種の処理を実行する上において必要なデータなどが適宜記憶される。
　【００５６】
　プログラム記憶部１０４は、ハードディスクやそのドライブからなり、ＣＰＵ１０１が実行する様々なプログラムなどを記憶する。ドライブ１４０は、フロッピディスクやハードディスクを含む磁気ディスク１５１、ＣＤ−ＲＯＭ（Ｃｏｍｐａｃｔ　Ｄｉｓｋ　Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む光ディスク１５２、ＭＤ（Ｍｉｎｉ−Ｄｉｓｋ）を含む光磁気ディスク１５３、若しくは半導体メモリ１５４記録媒体に記憶されているプログラムを読み出し、バス１２０を介してプログラム記憶部１０４などに供給する。例えば、ドライブ１４０からは、被写体の画像と合成する新たなフレーム画像などが供給される。
　【００５７】
　カメラ制御部１０５はユーザが操作パネル２２を操作する等により入力したカメラ１１の調節要求に応じて、カメラ１１のズーム率、取り込む光量などを制御する。
　【００５８】
　設定情報記憶部１０６は、撮影前作業用モニタ５１に表示された情報に従って、ユーザがタッチペン５３を操作することにより、入力された設定情報を記憶する。そして、ＣＰＵ１０１は、設定情報記憶部１０６に記憶された設定情報に基づいて、撮影および印刷処理を行う。
　【００５９】
　硬貨処理部１０７は、硬貨投入口４１から投入された硬貨をカウントし、画像の作成代金として予め設定されている所定の金額が投入されたと判定したとき、それをＣＰＵ１０１に通知する。
　【００６０】
　プリンタ１０８は、所定の数、および大きさに分割されたシールのシールシートを複数種類ストックし、ユーザから選択されたシールシートに、編集済みの画像を印刷する。プリンタ１０８により印刷されたシールシートは、印刷物取り出し口４２から排出され、ユーザに提供される。
　【００６１】
　音声出力制御部１２１は、ＣＰＵ１０１からの制御に基づいてスピーカ３１を制御し、撮影や画像編集の操作方法などを説明する各種の音声ガイダンスや、例えば、カメラ１１が被写体を撮影するときのシャッタ音などの効果音を出力する。
　【００６２】
　映像入出力制御部１２２は、撮影された画像に、タッチパネル１２３より入力された編集情報を反映させて、編集用モニタ２１に表示させる。なお、図４において、編集用モニタ２１とタッチパネル１２３は、互いに異なる位置に示されているが、実際には積層して構成されている。
　【００６３】
　照明装置１３は、ＣＰＵ１０１からの制御に基づいて、カメラ１１が被写体を撮影するとき（キャプチャするとき）、そのタイミングに合わせて被写体を照明する。
　【００６４】
　映像入出力制御部１２４は、操作説明や設定入力等の画像に、タッチパネル１２５より入力された操作情報を反映させて、撮影前作業用モニタ５１に表示させる。なお、図４において、撮影前作業用モニタ５１およびタッチパネル１２５は、互いに異なる位置に示されているが、実際には積層して構成されている。
　【００６５】
　音声出力制御部１２６は、ＣＰＵ１０１からの制御に基づいてスピーカ５２を制御し、撮影や画像編集の操作方法などを説明する各種の音声ガイダンスを出力する。
　【００６６】
　次に、画像印刷装置１の画像印刷処理について説明する。
　【００６７】
　順番待ちをしているユーザは、筐体１０の側面の撮影前作業パネル５０のある側で待機している。画像印刷装置１は、そのユーザに対して、撮影前準備処理を行う。画像印刷装置１による撮影前準備処理を図５のフローチャートを参照して説明する。
　【００６８】
　最初にステップＳ１において、画像印刷装置１のＣＰＵ１０１は、映像入出力制御部１２４を介して、撮影前作業パネル５０の撮影前作業用モニタ５１に、撮影から印刷までに必要なユーザの操作手順等の操作方法に関する説明を表示させる。また、ＣＰＵ１０１は画面に対応した音声や音楽を、必要に応じて、音声出力制御部１２６を介してスピーカ５２より出力させる。順番待ちをしているユーザは、その説明を視聴することにより、撮影から印刷までの操作方法を事前に把握することができる。
　【００６９】
　また、撮影前作業用モニタ５１には、その他に、ユーザが実際の操作画面の模擬操作を行うことができるモードを選択するボタン、および、実際に使用される設定情報を事前に作成することができるモードを選択するボタンが表示されている。前のユーザが撮影空間内に入り、貨幣を投入し、設定情報記憶部１０６の情報がＲＡＭ１０３に記憶され、設定情報記憶部１０６のデータが消去されたら、ユーザは、タッチペン５３を操作して、それらのボタンを指定することにより、モードを選択することができる。
　【００７０】
　ステップＳ２において、ＣＰＵ１０１は、設定情報記憶部１０６にデータが存在するか否かを判定する。存在すると判定した場合、ＣＰＵ１０１は、ステップＳ１に戻り、それ以降の処理を繰り返す。
　【００７１】
　設定情報記憶部１０６にデータが存在しないと判定した場合、ＣＰＵ１０１は、ステップＳ３に進み、ユーザがモードを選択したか否かを判定する。モードを選択していないと判定した場合、ＣＰＵ１０１は、ステップＳ１に戻り、それ以降の処理を繰り返す。
　【００７２】
　ユーザが、タッチペン５３を操作して、モードを選択したと判定した場合、ＣＰＵ１０１はステップＳ４に進み、ユーザが選択したモードが模擬操作モードであるか否かを判定する。模擬操作モードであると判定した場合、ＣＰＵ１０１は、ステップＳ５に進み、模擬操作処理を行う。模擬操作処理の詳細は図６を参照して後述する。ＣＰＵ１０１は、模擬操作処理を終了すると、撮影前準備処理を終了する。
　【００７３】
　ステップＳ４において、ユーザが選択したモードが模擬操作モードではないと判定した場合、ＣＰＵ１０１は、ステップＳ６に進み、撮影前設定操作処理を行う。撮影前設定操作処理の詳細は図７を参照して後述する。ＣＰＵ１０１は、撮影前設定操作処理を終了すると、撮影前準備処理を終了する。
　【００７４】
　以上のようにして、ユーザは、画像印刷装置１の操作方法を事前に把握でき、また、場合によっては設定情報を事前に作成することができるので、撮影から印刷までの操作をスムーズに行うことができるようになる。
　【００７５】
　次に、図６のフローチャートを参照して、図５のステップＳ５において実行される模擬操作処理の詳細を説明する。
　【００７６】
　順番待ちをしているユーザが撮影前作業用モニタ５１に表示された模擬操作モード選択ボタンを指定すると、画像印刷装置１のＣＰＵ１０１は、模擬操作処理を開始する。これにより、ユーザは、撮影および編集時において、編集用モニタ２１に実際に表示される操作画面を操作することができる。
　【００７７】
　最初にステップＳ２１において、画像印刷装置１のＣＰＵ１０１は、撮影画像に合成されるフレーム画像のデザイン、および、印刷時における撮影画像のレイアウトの設定（フレーム分割数）を選択するフレーム選択画面を、映像入出力制御部１２４を介して、撮影前作業用モニタ５１に表示させる。ユーザは、タッチペン５３を操作して、フレーム画像のデザインを選択し、印刷時における撮影画像のフレーム分割数を選択することができる。
　【００７８】
　ＣＰＵ１０１は、ステップＳ２２において、ユーザが使用するフレームのデザインおよびフレーム分割数を選択したか否かを判定する。選択していないと判定した場合、ＣＰＵ１０１は、ステップＳ２１に戻り、それ以降の処理を繰り返す。
　【００７９】
　ユーザがタッチペン５３を操作して、フレームのデザインおよびフレーム分割数を選択したと判定した場合、ＣＰＵ１０１は、ステップＳ２３に進み、撮影画像の範囲、方向、並びに広角および望遠等の効果の有無を選択する撮影画像選択画面を、映像入出力制御部１２４を介して、撮影前作業用モニタ５１に表示させる。
　【００８０】
　撮影前作業用モニタ５１に表示される撮影画像選択画面には、カメラ１１による撮影画像の代わりに、模擬撮影画像として予め用意された人物画像が表示される。この人物画像には、その撮影範囲、方向、並びに広角および望遠等の効果の有無等がそれぞれ異なる画像が多数用意されており、ユーザの模擬操作に基づいて、その操作の効果を施した画像が表示される。これによりユーザは、タッチペン５３を操作して、模擬的に撮影画像を選択（カメラ１１を模擬制御）することができる。
　【００８１】
　なお、この模擬撮影画像である人物画像は、ＲＯＭ１０２、ＲＡＭ１０３、またはプログラム記憶部１０４に予め記憶されている。
　【００８２】
　ステップＳ２４において、ＣＰＵ１０１は、ユーザが撮影画像を選択したか否かを判定する。選択していないと判定した場合、ＣＰＵ１０１は、ステップＳ２３に戻り、それ以降の処理を繰り返す。
　【００８３】
　ユーザがタッチペン５３を操作して、撮影画像を選択したと判定した場合、ＣＰＵ１０１は、ステップＳ２５に進み、落書き入力画面を映像入出力制御部１２４を介して、撮影前作業用モニタ５１に表示させる。ＣＰＵ１０１は、落書きをする対象画像として、ＲＯＭ１０２、ＲＡＭ１０３、またはプログラム記憶部１０４に予め記憶されている、サンプル画像を映像入出力制御部１２４を介して、撮影前作業用モニタ５１に表示させる。ユーザは、タッチペン５３を操作して、このサンプル画像に落書きを行うことができる。
　【００８４】
　ステップＳ２６において、ＣＰＵ１０１は、落書き入力が終了したか否かを判定する。終了していないと判定した場合、ＣＰＵ１０１は、ステップＳ２５に戻り、それ以降の処理を繰り返す。
　【００８５】
　ユーザが落書き入力を終了したと判定した場合、ＣＰＵ１０１は、ステップＳ２７に進み、撮影前作業用モニタ５１に、ユーザの模擬操作の結果として印刷イメージを、映像入出力制御部１２４を介して、撮影前作業用モニタ５１に表示させる。この表示された印刷イメージにより、ユーザは、印刷されたときの様子を把握することができる。
　【００８６】
　印刷イメージを表示させたＣＰＵ１０１は、模擬操作処理を終了し、図５の撮影前準備処理を終了する。
　【００８７】
　以上のようにして、ユーザは、実際の操作画面を模擬操作することができるので、撮影から印刷までの操作をスムーズに行うことができるようになる。
　【００８８】
　次に、図７のフローチャートを参照して、図５のステップＳ６において実行される撮影前設定操作処理の詳細を説明する。また、必要に応じて図８および図９を参照して説明する。
　【００８９】
　順番待ちをしているユーザが撮影前作業用モニタ５１に表示された撮影前設定操作モード選択ボタンを指定すると、画像印刷装置１のＣＰＵ１０１は、撮影前設定操作処理を開始する。これにより、ユーザは、撮影および編集時において使用される設定情報を事前に入力することができる。
　【００９０】
　最初にステップＳ４１において、ＣＰＵ１０１は、撮影前作業用モニタ５１にフレーム選択画面を表示させる。表示されたフレーム選択画面は、図６のステップＳ２１において表示された画面と同じであるので、その説明は省略する。
　【００９１】
　フレーム選択画面を表示させたＣＰＵ１０１は、ステップＳ４２において、ユーザがフレームのデザインおよびフレーム分割数を選択したか否かを判定する。選択していないと判定した場合、ＣＰＵ１０１は、ステップＳ４１に戻り、それ以降の処理を繰り返す。
　【００９２】
　ユーザがタッチペン５３を操作してフレームのデザインおよびフレーム分割数を選択したと判定した場合、ＣＰＵ１０１は、ステップＳ４３に進み、撮影前作業用モニタ５１に撮影画像選択画面を表示させ、ステップＳ４４において、ユーザがタッチペン５３を操作して撮影画像を選択したか否かを判定する。選択していないと判定した場合、ＣＰＵ１０１は、ステップＳ４３に戻り、それ以降の処理を繰り返す。
　【００９３】
　表示された撮影画像選択画面は、図６のステップＳ２３において表示された画面と同じであるので、その説明は省略する。
　【００９４】
　ユーザが、撮影画像を選択したと判定した場合、ＣＰＵ１０１は、ステップＳ４５に進み、ユーザが設定した内容を確認できるように、撮影前作業用モニタ５１に設定内容確認画面を表示させる。
　【００９５】
　図８は、設定内容確認画面の例を示す図である。設定内容確認画面２００には、ユーザが選択した設定の内容が表示される設定内容表示部２０１、設定内容を確認する文章が表示される設定内容確認部２０２、設定内容の保存を指示する確認ボタン２０３、および、設定内容の消去を指示する反対ボタン２０４が含まれる。
　【００９６】
　例えば、設定内容確認部２０２には、「この選択情報は本番で使用します。よろしいですか？」からなる文章が表示され、確認ボタン２０３には「はい」が表示され、反対ボタン２０４には「いいえ」が表示されている。
　【００９７】
　ユーザが、タッチペン５３を操作して、確認ボタン２０３を指定すると、設定内容表示部２０１に表示された設定内容が保存される。また、ユーザが、反対ボタン２０４を指定すると、設定内容表示部２０１に表示された設定内容は消去される。
　【００９８】
　図７に戻り、ステップＳ４６において、ＣＰＵ１０１は、ユーザが設定内容を決定したか否かを判定する。ユーザが、タッチペン５３を操作して図８の確認ボタン２０３を指定し、設定内容を決定したと判定する場合、ＣＰＵ１０１は、ステップＳ４７に進み、設定内容表示部２０１に表示された設定内容で設定情報を作成し、設定情報記憶部１０６に記憶させる。設定情報を記憶させたＣＰＵ１０１は、撮影前設定操作処理を終了し、図５の撮影前準備処理を終了する。
　【００９９】
　図７のステップＳ４６において、ユーザが、タッチペン５３を操作して図８の反対ボタン２０４を指定し、設定内容を決定しなかったと判定した場合、ＣＰＵ１０１は、ステップＳ４８に進み、設定情報を作成せず、再設定確認画面を表示する。
　【０１００】
　図９は、再設定確認画面の例を示す図である。再設定確認画面３００には、再設定を行うか否かをユーザに確認する文章を表示する再設定確認部３０１、再設定を行うことを指示する確認ボタン３０２、および、再設定を行わないことを指示する反対ボタン３０３が含まれる。
　【０１０１】
　例えば、再設定確認部３０１には、「設定しなおしますか？」からなる文章が表示され、確認ボタン３０２には「はい」が表示され、反対ボタン３０３には「いいえ」が表示されている。
　【０１０２】
　ユーザが、タッチペン５３を操作して、確認ボタン３０２を指定すると、再度、設定処理が行われる。また、ユーザが、反対ボタン３０３を指定すると、設定処理は終了される。
　【０１０３】
　図７に戻り、ステップＳ４９において、ＣＰＵ１０１は、ユーザが再設定を指示したか否かを判定する。ユーザが、タッチペン５３を操作して図９の確認ボタン３０２を指定し、再設定を指示したと判定する場合、ＣＰＵ１０１は、ステップＳ４１に戻り、それ以降の処理を繰り返す。
　【０１０４】
　ユーザが、タッチペン５３を操作して図９の反対ボタン３０３を指定し、再設定を指示しなかったと判定した場合、ＣＰＵ１０１は、撮影前設定操作処理を終了し、図５の撮影前準備処理を終了する。
　【０１０５】
　以上のようにして、ユーザは、事前に設定情報を作成することができるので、撮影から印刷までの操作をスムーズに行うことができるようになる。
　【０１０６】
　順番がまわってきたユーザは、撮影空間に入場し、撮影を行う。画像印刷装置１は、入場してきたユーザに対して、画像印刷処理を行う。画像印刷装置１による画像印刷処理を図１０および図１１のフローチャートを参照して説明する。
　【０１０７】
　最初にステップＳ６１において、ＣＰＵ１０１は、プログラム記憶部１０４に記憶されている、撮影の進行方法などのデモンストレーション画面（以下、デモ画面と称する）を、撮影用モニタ１２、または、映像入出力制御部１２２を介して編集用モニタ２１に表示させる。また、ＣＰＵ１０１は、必要に応じて、デモ画面に対応した音声や音楽を、音声出力制御部１２１を介してスピーカ３１に出力させる。
　【０１０８】
　ステップＳ６２において、ＣＰＵ１０１は、硬貨処理部１０７からの出力に基づいて、所定の代金（シールシートの作成代金）が投入されたか否かを判定し、投入されたと判定するまでデモ画面を表示させて待機する。一方、ＣＰＵ１０１は、代金が投入されたと判定した場合、ステップＳ６３に進み、設定情報記憶部１０６に設定情報が記憶されているか否かを判定する。
　【０１０９】
　設定情報が記憶されていると判定した場合、ＣＰＵ１０１は、ステップＳ６４に進み、設定情報記憶部１０６に記憶されている設定情報をＲＡＭ１０３に取り込み、そこから設定情報を取得し、設定情報記憶部１０６のデータを消去する。このとき、ＣＰＵ１０１は、カメラ１１により撮影されている画像、または各種の機能および操作方法を説明する説明画面を撮影用モニタ１２、または、映像入出力制御部１２２を介して編集用モニタ２１に表示させる。また、ＣＰＵ１０１は、必要に応じて、説明画面に対応した音声や音楽を、音声出力制御部１２１を介してスピーカ３１から出力させる。
　【０１１０】
　また、設定情報記憶部１０６に設定情報が記憶されていないと判定した場合、ＣＰＵ１０１は、ステップＳ６５に進み、設定処理を行う。設定処理の詳細は図１２を参照して後述する。
　【０１１１】
　設定情報を取得したＣＰＵ１０１は、ステップＳ６６において、操作パネル２２の撮影開始ボタンの受け付けを開始する。ユーザは操作パネル２２の撮影開始ボタンを押すことにより、撮影の開始を指示することができる。
　【０１１２】
　ステップＳ６７において、ＣＰＵ１０１は、所定の時間が経過したか否か、および、ユーザにより撮影開始ボタンが操作されたか否かを判定し、所定の時間が経過した、若しくは撮影開始ボタンが操作されたと判定されるまで待機する。所定の時間は、予め定められており、ＲＯＭ１０２に記憶されている。また、所定の時間はプログラム記憶部１０４から、ＲＡＭ１０３にロードされたプログラムに定められていてもよい。
　【０１１３】
　所定の時間が経過した、若しくは撮影開始ボタンが操作されたと判定した場合、ＣＰＵ１０１は、ステップＳ６８に進み、撮影用モニタ１２に撮影開始までのカウントダウンの表示し、カウントダウンの表示に対応した音声や音楽を、必要に応じて、音声出力制御部１２１を介してスピーカ３１より出力させる。そして撮影開始のタイミングになったとき、ＣＰＵ１０１は、照明装置１３を制御してフラッシュを被写体に照明するとともに、その瞬間にカメラ１１により取り込まれている画像を、静止画像としてＲＡＭ１０３に記憶させる。また、ＣＰＵ１０１は、この撮影が何回目であるかを計算し、計算結果をＲＡＭ１０３に記憶させる。
　【０１１４】
　ステップＳ６９において、ＣＰＵ１０１は、ＲＡＭ１０３に記憶させた静止画像、再撮影を指示する再撮影ボタン、および操作方法を説明する説明画面を、映像入出力制御部１２２を介して編集用モニタ２１に表示させる。またＣＰＵ１０１は、説明画面に対応した音声や音楽を、必要に応じて音声出力制御部１２１を介してスピーカ３１より出力する。ユーザは、タッチペン２３または２４を用いて、編集用モニタ２１に表示された静止画像を選択することによって、シールシートに印刷する画像（以下の説明ではプリント画像と称する）を決定することができる。また、ユーザは、タッチペン２３または２４を操作して、再撮影ボタンを選択することによって、プリント画像を取り直すことができる。
　【０１１５】
　ステップＳ７０において、ＣＰＵ１０１は、再撮影を指示したか否かを判定する。ＣＰＵ１０１は、ユーザが再撮影を指示したと判定した場合、ステップＳ７１に進み、ＲＡＭ４３に記憶させた情報に基づいて、残り撮影可能枚数が１枚以上あるか否かを判定する。撮影可能枚数は、予めＲＯＭ１０２、または、プログラム記憶部１０４からＲＡＭ１０３にロードされたプログラムに定められている。
　【０１１６】
　残り撮影可能枚数が１枚以上あると判定した場合、ＣＰＵ１０１は、ステップＳ６６に戻り、それ以降の処理を繰り返し実行し、静止画像を取り直す処理を行う。
　【０１１７】
　ステップＳ７０において、ユーザが編集用モニタ２１に表示された静止画像を選択し、再撮影を指示しなかったと判定した場合、または、ステップＳ７１において、残り撮影可能枚数が零枚であり、１枚以上ないと判定した場合、ＣＰＵ１０１は、ステップＳ７２において、映像入出力制御部１２２を介して、編集用モニタ２１に落書き入力画面を表示し、落書き入力の受け付けを開始する。ユーザは、タッチペン２３または２４を操作して、撮影画像に落書き処理を行うことができる。
　【０１１８】
　ＣＰＵ１０１は、ステップＳ７３において、所定の時間が経過したか否か、および、ユーザにより撮影画像の印刷を指示するプリントボタンが操作されたか否かを判定し、所定の時間が経過した、若しくは、プリントボタンが操作されたと判定されるまで待機する。所定の時間は、予め定められており、ＲＯＭ１０２に記憶されている。また、所定の時間はプログラム記憶部１０４から、ＲＡＭ１０３にロードされたプログラムに定められていてもよい。
　【０１１９】
　所定の時間が経過した、若しくはプリントボタンが操作されたと判定した場合、ＣＰＵ１０１は、ステップＳ７４に進み、ユーザにより入力された落書き情報に基づいて、撮影画像を編集し、プリンタ１０８を制御し、プリント画像をシールシートに印刷させる。印刷されたシールシートは印刷物取り出し口４２より排出される。そして、ＣＰＵ１０１は、ステップＳ６１に戻り、それ以降の処理を繰り返し実行する。
　【０１２０】
　以上のようにして画像印刷装置１が画像印刷処理を行うことで、ユーザは、事前に把握した通りに操作を行えるので、撮影から印刷までの操作をスムーズに行うことができるようになる。
　【０１２１】
　次に、図１０のステップＳ６５において実行される設定処理の詳細を図１２のフローチャートを参照して説明する。
　【０１２２】
　最初にステップＳ９１において、ＣＰＵ１０１は、映像入出力制御部１２２を介して、編集用モニタ２１にフレーム選択画面を表示させる。表示されたフレーム選択画面は、図６のステップＳ２１において表示された画面と同じであるので、その説明は省略する。
　【０１２３】
　フレーム選択画面を表示させたＣＰＵ１０１は、ステップＳ９２において、ＣＰＵ１０１は、ユーザがフレームのデザインおよびフレーム分割数を選択したか否かを判定する。選択していないと判定した場合、ＣＰＵ１０１は、ステップＳ９１に戻り、それ以降の処理を繰り返す。
　【０１２４】
　ユーザがタッチペン２３または２４を操作してフレームのデザインおよびフレーム分割数を選択したと判定した場合、ＣＰＵ１０１は、ステップＳ９３に進み、編集用モニタ２１に撮影画像選択画面を表示させ、ステップＳ９４において、ユーザがタッチペン２３または２４を操作して撮影画像を選択したか否かを判定する。選択していないと判定した場合、ＣＰＵ１０１は、ステップＳ９３に戻り、それ以降の処理を繰り返す。
　【０１２５】
　表示された撮影画像選択画面は図６のステップＳ２３において表示された画面と同一であるので、その説明は省略する。
　【０１２６】
　ユーザが、撮影画像を選択したと判定した場合、ＣＰＵ１０１は、ステップＳ９５に進み、ユーザが設定した内容を確認できるように、撮影前作業用モニタ５１に設定内容確認画面を表示させる。表示された設定内容確認画面は図８に示した画面と同一であるので、その説明は省略する。
　【０１２７】
　ステップＳ９６において、ＣＰＵ１０１は、ユーザが設定内容を決定したか否かを判定する。ユーザが、タッチペン２３または２４を操作して、設定内容を決定したと判定する場合、ＣＰＵ１０１は、ステップＳ９７に進み、設定情報を作成し、ＲＡＭ１０３に記憶させる。設定情報を記憶させたＣＰＵ１０１は、設定処理を終了する。
　【０１２８】
　ステップＳ９６において、ユーザが設定内容を決定しなかったと判定した場合、ＣＰＵ１０１は、ステップＳ９８に進み、設定情報を作成せず、再設定確認画面を表示する。表示された再設定確認画面は図９に示した画面と同一であるので、その説明は省略する。
　【０１２９】
　ステップＳ９９において、ＣＰＵ１０１は、ユーザが再設定を指示したか否かを判定する。ユーザが再設定を指示したと判定する場合、ＣＰＵ１０１は、ステップＳ９１に戻り、それ以降の処理を繰り返す。
　【０１３０】
　ユーザが再設定を指示しなかったと判定した場合、ＣＰＵ１０１は、設定処理を終了する。
　【０１３１】
　以上のようにして、ユーザは、設定情報を作成することができる。
　【０１３２】
　以上において、印刷媒体はシールシートとして説明したが、シールシートに限られるものではなく、例えば、所定のサイズの紙や、ポスター用の紙などに印刷するようにしてもよい。また、撮影した画像データを、ユーザが自ら用意したフロッピディスクなどの記録媒体に記録させることができるようにしてもよい。
　【０１３３】
　なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
　【０１３４】
　【発明の効果】
　以上のように、本発明によれば、ユーザの回転率を向上させ、順番待ちの時間を短縮することができる。
【図面の簡単な説明】
　【図１】
　本発明を適用した画像印刷装置の構成例を示す斜視図である。
　【図２】
　図１の筐体１０より撮影前作業パネル５０を分離した様子を示す斜視図である。
　【図３】
　図１の画像印刷装置の配置例を示す図である。
　【図４】
　図１乃至図３に示した画像印刷装置の内部の構成例を示すブロック図である。
　【図５】
　画像印刷装置による撮影前準備処理を説明するフローチャートである。
　【図６】
　図５のステップＳ５において実行される模擬操作処理の詳細を説明するフローチャートである。
　【図７】
　図５のステップＳ６において実行される撮影前設定操作処理の詳細を説明するフローチャートである。
　【図８】
　設定内容確認画面の表示例を示す図である。
　【図９】
　再設定確認画面の表示例を示す図である。
　【図１０】
　画像印刷装置による画像印刷処理を説明するフローチャートである。
　【図１１】
　画像印刷装置による画像印刷処理を説明する、図１０に続くフローチャートである。
　【図１２】
　図１０のステップＳ６５において実行される設定処理の詳細を説明するフローチャートである。
　【符号の説明】
　１　画像印刷装置
　１０　筐体
　１１　カメラ
　１２　撮影用モニタ
　１３　照明装置
　２１　編集用モニタ
　２２　操作パネル
　２３，２４　タッチペン
　３１　スピーカ
　４１　硬貨投入口
　４２　印刷物取り出し口
　５０　撮影前作業パネル
　５１　撮影前作業用モニタ
　５２　スピーカ
　５３　タッチペン
　５４　ケーブル
　１０１　ＣＰＵ
　１０２　ＲＯＭ
　１０３　ＲＡＭ
　１０６　設定情報記憶部
　１０８　プリンタ
　１２１　音声出力制御部
　１２２　映像入出力制御部
　１２３　タッチパネル
　１２４　映像入出力制御部
　１２５　タッチパネル
　１２６　音声出力制御部